(57)【要約】【課題】ラインローラの仕様をコストを掛けることなく変更することができ、仕様の変更の前後でロータの回転バランスに狂いが生じることのない魚釣用スピニングリールを提供する。【解決手段】本発明に係る魚釣用スピニングリールは、リール本体に回転可能に支持されたハンドルの回転操作で回転するロータと、前記ハンドルの回転操作で前後動するスプールと、前記ロータに設けられ、スプールに釣糸を案内するラインローラ９を保持するラインローラ保持部１０と、を有する。そして、ラインローラ９の仕様を変更するにあたり、ラインローラ保持部１０に、仕様の変更の前後で総重量を一致させる重量調整部２２を設けたことを特徴とする。【選択図】図２
2014147300.tif 000002
【特許請求の範囲】
【請求項１】
リール本体に回転可能に支持されたハンドルの回転操作で回転するロータと、前記ハンドルの回転操作で前後動するスプールと、前記ロータに設けられ、前記スプールに釣糸を案内するラインローラを保持するラインローラ保持部と、を有し、
前記ラインローラの仕様を変更するにあたり、前記ラインローラ保持部に、仕様の変更の前後で総重量を一致させる重量調整部を設けたことを特徴とする魚釣用スピニングリール。
【請求項２】
前記重量調整部は、前記ラインローラ保持部に対して着脱可能な重量部材であり、この重量部材は、重量調整以外の機能を兼ね備えていることを特徴とする請求項１に記載の魚釣用スピニングリール。
【請求項３】
前記重量部材は、前記ラインローラを回転可能に支持する軸受の軸方向の移動を規制する機能を備えていることを特徴とする請求項２に記載の魚釣用スピニングリール。
【請求項４】
前記重量調整部は、前記ラインローラ保持部に対して着脱可能な重量部材であり、
前記ラインローラ保持部は、前記重量調整部材を着脱可能に取り付ける取り付け部を備えていることを特徴とする請求項１に記載の魚釣用スピニングリール。
【発明の詳細な説明】
【技術分野】
【０００１】
本発明は、ハンドル操作で連動回転するロータのアーム部の先端に設けた釣糸案内部を介してスプールに釣糸を巻回する魚釣用スピニングリールに関する。
【背景技術】
【０００２】
一般的に、魚釣用スピニングリールは、例えば、特許文献１に開示されているように、ハンドルの巻き取り回転操作によって、連動回転するロータ及び前後動するスプールを備えた構造となっており、前記ロータには、略１８０°間隔で一対のアーム部が設けられ、その先端には、夫々ベール支持部材が回動可能に支持されている。そして、各ベール支持部材には、半環状のベールの基端部が取り付けられるとともに、一方のベール支持部材には、釣糸を案内するラインローラ（釣糸案内部）が設けられている。このため、前記ベールを反転させて釣糸放出状態にすると、スプールに巻回された釣糸は放出され、前記ベールを反転復帰して釣糸巻き取り状態にすると、釣糸は、ベールにピックアップされながらラインローラに移行し、前記ハンドルの回転に伴うロータの回転、及びスプールの前後動によって、スプールに均等に巻回される。
【０００３】
通常、ロータには、上記したようなラインローラやベール等、様々な部材（アンバランス部材）が配設されるため、ロータの回転バランスは、これらのアンバランス部材によって影響が生じ易くなっている。このため、ロータに配設される各種のアンバランス部材については、配設位置、形状、重さ等を総合的に考慮して、ロータがスムースに回転できるように構成されている。
【先行技術文献】
【特許文献】
【０００４】
【特許文献１】特開２０１０−１０４２７５号
【発明の概要】
【発明が解決しようとする課題】
【０００５】
ところで、最近の魚釣用スピニングリールは、釣人の要望（機能、デザイン、グレード、外観・表面処理、大きさ、重量、価格帯）を考慮して、多種多様なシリーズ、アイテム展開が必要となっており、ラインローラについても、シリーズやアイテムによって、その構成が変更されている。このため、製品仕様が変わるたびに、ロータの回転バランスを見直し、バランス調整作業、例えば、上記したアンバランス部材に関連する部品の変更作業（金型修正、材料変更、設計変更、それらに伴う作業時間等）が必要となっており、全体として製品のコストアップにつながる、という問題が生じている。
【０００６】
また、釣人が個人でラインローラの仕様アップ（ラインローラの材質変更や軸受の変更等）を実施することがあり、このようなケースでは、仕様を変更した後にロータの回転バランスが狂ってしまい、良好な回転状態で使用できない等の問題もある。
【０００７】
本発明は、上記した問題に着目してなされたものであり、ラインローラの仕様をコストを掛けることなく変更することができ、仕様の変更の前後でロータの回転バランスに狂いが生じることのない魚釣用スピニングリールを提供することを目的とする。
【課題を解決するための手段】
【０００８】
上記した目的を達成するために、本発明に係る魚釣用スピニングリールは、リール本体に回転可能に支持されたハンドルの回転操作で回転するロータと、前記ハンドルの回転操作で前後動するスプールと、前記ロータに設けられ、前記スプールに釣糸を案内するラインローラを保持するラインローラ保持部と、を有しており、前記ラインローラの仕様を変更するにあたり、前記ラインローラ保持部に、仕様の変更の前後で総重量を一致させる重量調整部を設けたことを特徴とする。
【０００９】
通常、魚釣用スピニングリールでは、ラインローラの仕様を変更しようとすると、変更前の部材と変更後の部材では重量が変わることから、ロータの回転バランスに影響を与えることとなるが、本発明の魚釣用スピニングリールでは、ラインローラの仕様を変更するにあたり、重量調整部によって、変更後も変更前と同一の重量が維持されるため、ロータの回転バランスに影響を与えることはない。これにより、魚釣用スピニングリールにおいて、多種多様なシリーズ、アイテム展開をする場合、重量調整部によって容易にロータの回転バランスが維持できるため、各種部品の変更作業が不要となり、コストが高騰することが防止される。また、釣人の好みによって、ラインローラ部分の構成を変更しても、容易に重量調整することができるため、仕様の変更の前後でロータの回転バランスに狂いが生じることもない。
【００１０】
なお、上記した構成において、ラインローラの仕様の変更とは、ラインローラそのものを交換する場合、ラインローラを回転可能に支持する支持部（ベアリングやカラー等）を交換する場合、ラインローラ及び支持部を交換する場合等が考えられる。また、ラインローラ保持部とは、ロータに設けられたアーム部の先端で回動可能に支持されるベール支持部材において、釣糸が摺動するラインローラを保持する機能を有する部分が該当する。
【発明の効果】
【００１１】
本発明によれば、ラインローラの仕様をコストを掛けることなく変更することができ、仕様の変更の前後でロータの回転バランスに狂いが生じることのない魚釣用スピニングリールが得られる。
【図面の簡単な説明】
【００１２】
【図１】本発明に係る魚釣用スピニングリールの一実施形態を示す図。
【図２】図１に示す魚釣用スピニングリールのラインローラ保持部の構成を示す図。
【図３】図２に示すラインローラ保持部を分解した状態を示す図。
【図４】図２に示すラインローラを支持している支持部（カラー）をベアリングに交換する状態を示す図。
【図５】図４に示すベアリングを組み込んだ状態のラインローラ保持部を示す図。
【図６】ラインローラ保持部の第２の実施形態を示す図。
【図７】図６に示すラインローラを支持している支持部（カラー）をベアリングに交換した状態を示す図。
【発明を実施するための形態】
【００１３】
以下、本発明に係る魚釣用スピニングリールの実施形態について説明する。  
図１から図５は、本発明に係る魚釣用スピニングリールの第１の実施形態を示す図であり、図１は全体構成を示す図、図２は図１に示す魚釣用スピニングリールのラインローラ保持部の構成を示す図、図３は図２に示すラインローラ保持部を分解した状態を示す図、図４は図２に示すラインローラを支持している支持部（カラー）をベアリングに交換する状態を示す図、そして、図５は図４に示すベアリングを組み込んだ状態のラインローラ保持部を示す図である。
【００１４】
魚釣用スピニングリールのリール本体１には、釣竿Ｒに装着される脚部１Ａが形成されている。前記リール本体内には、ハンドル軸が軸受を介して回転可能に支持されており、ハンドル軸の端部には、巻き取り操作されるハンドル３が装着されている。また、前記ハンドル軸には、公知の駆動力伝達機構が連結されており、ハンドル３の回転操作に伴ってロータ５を回転駆動すると共に、公知のオシレーティング機構を介して、スプール４を前後動させるようになっている。
【００１５】
前記ロータ５には、一対のアーム部（片方のみ図示）６が略１８０°間隔で、軸方向に延出して対向するように形成されており、各アーム部６の先端には、ベール支持部材７が回動可能に支持されている。また、それぞれのベール支持部材７には、半環状のベール８の基端部が取着されており、ベール８を釣糸放出状態と釣糸巻回状態に回動可能に支持している。そして、一方のベール支持部材７の先端には、釣糸を案内するラインローラ（釣糸案内部）９が配設されている。
【００１６】
上記した構成において、ハンドル３を回転操作すると、駆動力伝達機構を介してロータ５が回転駆動され、オシレーティング機構を介してスプール４が前後動される。これにより、釣糸は、ラインローラ９を介してスプール４に片寄ること無く均等に巻回される。
【００１７】
前記ラインローラ９は、中空の略筒体形状を有しており、ラインローラ保持部１０に回転可能に保持されている。以下、本実施形態のラインローラ保持部１０の構成について説明する。  
ラインローラ保持部１０は、一方のアーム部６の先端に回動可能に支持されると共に、ベール８によってピックアップされた釣糸をラインローラ９に案内するラインスライダ１１を具備するベール支持部材７によって構成されている。すなわち、ラインローラ保持部１０は、ラインローラ９を保持する部分が該当し、ベール支持部材７及びその構成要素であるラインスライダ１１によって構成される。なお、前記ベール８の一方の基端部は、図１に示すような形態でラインスライダ１１に取着されている。
【００１８】
前記ラインスライダ１１には、ベール支持部材７側に向けて突出する突部１１ａが一体形成されており、軸方向に延出する袋ナットとして構成されている（軸方向に延出する雌螺子部１１ｂが形成されている）。また、突部１１ａには、ラインスライダ側に大径となる段部１１ｃが形成されるとともに、ラインスライダ１１には、ベール支持部材７側に開口する凹所１１ｄが形成されている。
【００１９】
前記突部１１ａには、軸受（本実施形態では、２つの軸受１５，１６）を介して前記ラインローラ９が回転可能に支持されている。軸受１５，１６は、合成樹脂等によって一体形成された筒状のカラー部材として構成されており、軸方向に隣接して配設されている。このため、前記ラインローラ９には、中央部内周に環状突部９ａが形成されており、この環状突部９ａに対して、前記軸受１５，１６は、軸方向両側から当て付いた状態で位置決めされている。この場合、軸受１５側には、前記段部１１ｃとの間に規制リング１８が配設されており、軸受１５を軸方向に位置決め、規制している。
【００２０】
前記ベール支持部材７には、ラインスライダ１１側に開口する凹所７ａと、前記凹所７ａの中央に円筒突起７ｂが形成されており、前記円筒突起７ｂ内にラインスライダ１１の突部１１ａが嵌入され、ベール支持部材７側からネジ２０を雌螺子部（袋ナット）１１ｂに螺入することで、ラインローラ９はラインローラ保持部１０に軸受１５，１６を介して回転可能に保持される。この場合、軸受１６と円筒突起７ｂとの間には、規制リング２２が配設されており、軸受１６を軸方向に位置決め、規制している。すなわち、軸受１５，１６は、ラインローラ９の中央部内周に形成された環状突部９ａ、及び規制リング１８，２２によって軸方向に位置決めされている。
【００２１】
上記した構成において、規制リング２２は、以下のような仕様変更を実施するに際しての重量調整部（重量部材）となっており、本実施形態では、そのような重量調整する機能に加え、別の機能、具体的には、上記のように軸受１６の軸方向の移動を規制して位置決めを果たす機能を備えている。
【００２２】
仕様変更は、ラインローラ９の性能を変更するものであり、本実施形態では、ラインローラ９の回転性能を向上するために行われる。具体的には、ラインローラ９には、釣糸をスプールに巻回する際に、大きな負荷が作用する部分であり、特に、ベール支持部材７側に大きな負荷が加わる。このため、ベール支持部材７側の軸受１６を、より摩擦抵抗が低いボールベアリング２６に変更することで、ラインローラ９の回転性能を向上すること（仕様アップ）が可能となる。
【００２３】
前記ボールベアリング２６は、内輪２６ａ、外輪２６ｂ及びこれらの間に保持器によって保持される複数の転がり部材２６ｃを備えており、ボールベアリング２６には、前記ラインローラ９の環状突部９ａに当て付くホルダ２７が装着されている。また、ベール支持部材７側には、ゴムパッキン２８が被着されており、装着時のシール効果を高めている。
【００２４】
実際の軸受の交換作業は、図３から図５に示すように、ネジ２０を外してカラーとして構成された軸受１６を規制リング２２と共に取り外し、ホルダ２７と一体化されたボールベアリング２６を同じ位置に装着する。そして、ボールベアリング２６を設置した後、前記ベール支持部材の円筒突起７ｂとの間でボールベアリング２６の位置決めを果たす規制リング３０を設置して、円筒突起７ｂをラインスライダ１１の突部１１ａに嵌入し、ネジ２０を螺入することで交換が成される。
【００２５】
この場合、規制リング３０も規制リング２２と同様、重量調整する重量調整部（重量部材）としての機能に加え、ボールベアリング２６の軸方向の移動を規制して位置決めを果たす機能を備えている。すなわち、仕様変更の前後で装着される規制リング２２及び規制リング３０は、仕様変更前の軸受１６と規制リング２２の総重量と、仕様変更後のボールベアリング２６（ホルダ２７及びゴムパッキン２８を含む）と規制リング３０の総重量が一致するように構成されている。
【００２６】
上記した魚釣用スピニングリールによれば、ラインローラ９の仕様を変更（軸受を交換して回転性能の向上を図る変更）するにあたり、重量調整部である規制リング２２，３０によって、変更後も変更前と同一の重量が維持されるため、ロータ５の回転バランスに影響を与えることはない。これにより、魚釣用スピニングリールにおいて、多種多様なシリーズ、アイテム展開をする場合、容易にロータの回転バランスを維持することが持できるため、各種部品の変更作業が不要となり、コストが高騰することが防止される。また、釣人の好みによって、ラインローラ９を仕様アップしても、容易に重量調整することができるため、仕様の変更の前後でロータ９の回転バランスに狂いが生じることもない。
【００２７】
また、重量調整部（規制リング２２，３０）は、重量を調整する以外の機能（本実施形態では、軸受の軸方向の規制をする機能）を有するため、全体として部品を効率的に利用することができ、より低コスト化を図ることが可能となる。
【００２８】
図６及び図７は、本発明の第２の実施形態を示す図であり、図６は、ラインローラ保持部の構成を示す図、図７は図５に示すラインローラを支持している支持部（カラー）をベアリングに交換した状態を示す図である。
【００２９】
この実施形態では、ラインローラ保持部１０に、重量調整部材（ウェイト）４０を着脱可能に取り付ける取り付け部４１を形成している。具体的に取り付け部４１は、ラインローラ保持部１０の内、ラインスライダ１１に形成されており、前記重量調整部材４０を嵌入するとともに取り外しを可能とする嵌合穴として構成されている。また、仕様変更後に装着される規制リング３０についても、上記した実施形態と同様、重量調整部としての機能に加え、ボールベアリング２６の軸方向の移動を規制して位置決めを果たす機能を有している。
【００３０】
すなわち、重量調整部材４０と規制リング３０は、軸受１６と重量調整部材４０の総重量と、ボールベアリング２６と規制リング３０の総重量が一致するように構成されており、仕様変更前の軸受１６をボールベアリング２６（ホルダ２７及びゴムパッキン２８を含む）に交換するに際しては、軸受１６と共に重量調整部材４０を取り外し、ボールベアリング２６を規制リング３０と共に装着することで、仕様の変更前後で同一の重量が維持されるため、ロータ５の回転バランスに影響を与えることはなく、上記した実施形態と同様な作用効果が得られる。
【００３１】
このように、仕様の変更前後で総重量を一致させる重量調整部は、ラインローラ保持部に着脱できるウェイトとして構成されたものであっても良く、重量調整以外の機能を持たせなくても良い。また、取り付け部４１は、ベール支持部材７側に設けても良く、重量調整部の着脱の手法については適宜変形することが可能である。
【００３２】
以上、本発明に係る魚釣用スピニングリールの一実施形態について説明したが、本発明は、上記した実施形態に限定されることはなく、種々変形することが可能である。  
例えば、重量調整部は、上記した軸方向の規制機能以外に、シール機能を有するものであっても良い。また、本実施形態では、ラインローラを回転可能に支持する軸受を交換するように構成したが、ラインローラそのものを交換する構成であっても良い。また、上記した実施形態では、２つの軸受の内、片方の軸受を交換するようにしたが、両方の軸受を交換するようにしても良く、軸受については、単体構造であっても良い。さらに、重量調整部は、前記凹所７ａ，１１ｄ内に突出させる構造であっても良い。
【符号の説明】
【００３３】
１  リール本体
３  ハンドル
４  スプール
５  ロータ
６  アーム部
７  ベール支持部材
１１  ラインスライダ
９  ラインローラ
１０  ラインローラ保持部
２２，３０  規制リング（重量調整部）
【図１】
2014147300.tif 000003
【図２】
2014147300.tif 000004
【図３】
2014147300.tif 000005
【図４】
2014147300.tif 000006
【図５】
2014147300.tif 000007
【図６】
2014147300.tif 000008
【図７】
2014147300.tif 000009